(57)【特許請求の範囲】
【請求項１】
外パイプの両端に、内パイプを伸縮可能に取り付けて成る物干竿において、両端の内パイプは、伸縮調整して複数位置で固定可能であり、外方端部には内パイプ外形より大きい外周を有するキャップを被着して成り、外パイプの略中央部の内部にはストッパーが固定されており、物干竿の全長を最も短く調整して内パイプを固定した場合に、ストッパーに両端の内パイプの内方端部が当接して、外パイプ端部とキャップとの間に、物干竿支持具の支持リングに支持される隙間である係合凹部を残して形成されることを特徴とする物干竿。
【請求項２】
外パイプの両端に、内パイプを伸縮可能に取り付けて成る物干竿において、両端の内パイプは、伸縮調整して複数位置で固定可能であり、外方端部には内パイプ外形より大きい外周を有するキャップを被着して成り、外パイプの略中央部の内部にはストッパーが摩擦力で突っ張り固定されており、物干竿の全長を最も短く調整して内パイプを固定した場合に、ストッパーに両端の内パイプの内方端部が当接して外パイプ端部とキャップとの間に、物干竿支持具の支持リングに支持される隙間である係合凹部を残して形成されることを特徴とする物干竿。
【発明の詳細な説明】
【技術分野】
【０００１】
本発明は、外パイプの両端から内パイプをそれぞれ伸縮することができる物干竿に関するものである。
【背景技術】
【０００２】
従来より、外パイプの両端から内パイプをそれぞれ伸縮することができる物干竿として、実開平５−９２５１３号考案（従来例）が提案されているが、この考案は、内パイプ本体８の外端側に取着したキャップ部材３の内端部の位置乃至僅かに内端寄りに第２環状突条１４を形成して成るものであり、物干竿全体を最も短く調整して使用する場合、第２環状突条１４が外パイプ２の内方折曲部５の外面に当たるように構成されている。
【先行技術文献】
【特許文献】
【０００３】
【特許文献１】実開平５−９２５１３号公報
【発明の概要】
【発明が解決しようとする課題】
【０００４】
上記従来例においては、物干竿全体を最も短く調整した場合、図１に示すように、内パイプに形成した第２環状突条１４が外パイプ２の内方折曲部５の外面に当たり、外パイプ２外端部とキャップ部材３内端部との間に第２環状突条１４が位置する状態となるが、この第２環状突条１４は、キャップ部材３が外パイプ２外端部に当たって外れるのを防止するためのものであり、本発明のようにその部分を物干竿支持具の支持リングが支持することを意図したものではないし、その公報中にそれを示唆するような記載もない。
【０００５】
さらに、従来例においては、この第２環状突条１４は、幅は小さくかつ外周方向に突出しており、物干竿支持具の支持リングに支持されるような段差とはなっておらず、物干竿の両端部に、物干竿支持具の支持リングが係合する係合凹部は形成されているものではなく、使用中に、物干竿はこれを支持している物干竿支持具の支持リングから落下しやすくなり危険であるという問題があり、本発明は、この問題を解決することを課題としている。
【課題を解決するための手段】
【０００６】
本発明は、上記課題を解決するものであり、請求項１の発明においては、外パイプの両端に、内パイプを伸縮可能に取り付けて成る物干竿において、両端の内パイプは、伸縮調整して複数位置で固定可能であり、外方端部には内パイプ外形より大きい外周を有するキャップを被着して成り、外パイプの略中央部の内部にはストッパーが固定されており、物干竿の全長を最も短く調整して内パイプを固定した場合に、ストッパーに両端の内パイプの内方端部が当接して、外パイプ端部とキャップとの間に、物干竿支持具の支持リングに支持される隙間である係合凹部を残して形成されることを特徴とする物干竿であり、請求項２の発明においては、外パイプの両端に、内パイプを伸縮可能に取り付けて成る物干竿において、両端の内パイプは、伸縮調整して複数位置で固定可能であり、外方端部には内パイプ外形より大きい外周を有するキャップを被着して成り、外パイプの略中央部の内部にはストッパーが摩擦力で突っ張り固定されており、物干竿の全長を最も短く調整して内パイプを固定した場合に、ストッパーに両端の内パイプの内方端部が当接して外パイプ端部とキャップとの間に、物干竿支持具の支持リングに支持される隙間である係合凹部を残して形成されることを特徴とする物干竿である。
【発明の効果】
【０００７】
以上のように請求項１の発明によれば、物干竿の全長を最も短く調整して内パイプを固定した場合にも、外パイプ外端部とキャップとの間に隙間で段差となる係合凹部を残して形成されることになるので、その係合凹部に物干竿支持具の支持リングが引っ掛かり、物干竿が容易に落下するのを防止し、人に当たって怪我をさせる危険を回避することができるという効果がある。
【０００８】
さらに、請求項２の発明によれば、外パイプの略中央部の内部にストッパーを摩擦力で突っ張り固定し、両端の内パイプの内方端部がストッパーに当接して係合凹部を形成して成るので、物干竿の外パイプや内パイプの外周にねじ等の固定具や凸部が露出することがなく外観が良好になるという効果がある。
【図面の簡単な説明】
【０００９】
【図１】物干竿の全長を最も短く調整した使用状態を示す斜視図。
【図２】図１のＡ−Ａ線断面図で、外パイプだけを断面にした要部拡大断面図（伸縮ロック体とストッパーが当接している状態）。
【図３】Ｂ−Ｂ線拡大端面図。
【図４】図１のＡ−Ａ線断面図で、伸縮ロック体及びストッパー部分の要部拡大断面図（わかりやすくするために、伸縮ロック体とストッパーを離した状態にしている。）。
【図５】ストッパーの分解斜視図。
【図６】締めた状態の伸縮ロック体の拡大斜視図。
【図７】図６の分解斜視図。
【図８】緩めた状態の伸縮ロック体の拡大斜視図。
【図９】図８の分解斜視図。
【図１０】Ｃ−Ｃ線拡大端面図（外パイプを含む）。
【図１１】Ｄ−Ｄ線拡大端面図（外パイプを含む）。
【図１２】Ｅ−Ｅ線拡大端面図（外パイプを含む）。
【図１３】伸縮ロック体を緩めた状態の図１０に対応する拡大端面図。
【図１４】伸縮ロック体を緩めた状態の図１１に対応する拡大端面図。
【図１５】伸縮ロック体を緩めた状態の図１２に対応する拡大端面図。
【図１６】Ｃ−Ｃ線拡大断面斜視図。
【図１７】Ｄ−Ｄ線拡大断面斜視図。
【実施例１】
【００１０】
物干竿１は、外パイプ２の両端に、外パイプ２より小さい断面の内パイプ３・３を伸縮・調整可能に設けて成り、外パイプ２の中央内部にはストッパー５を固定し、内パイプ３・３のそれぞれ外方端部には、内パイプ３・３より大きく外パイプ２とほぼ同じ形と大きさの断面を持つキャップ４・４を取り付けてある。
【００１１】
外パイプ２と内パイプ３・３の断面形状は、四辺を大きな円弧状とした略四角形状であり、物干竿１に引っ掛けるハンガー（図示せず）は、ハンガー上端の円弧状のフック部分が外パイプ２又は内パイプ３・３の角の２点で接触・支持されて、回転しにくいようになっており、洗濯物を掛けた複数のハンガーを間隔をおいて引っ掛けて干した場合に、洗濯物間に風が通りやすく早く乾くという効果がある。また、キャップ４・４は、柔らかいシリコーン製で、物干竿１が万が一落下して人に当たっても怪我しにくいように配慮されている。
【００１２】
内パイプ３・３は、それぞれの内方端部に伸縮ロック体８・８が取り付けられており、外パイプ２に対してそれぞれ伸縮調整して複数の任意の位置で固定可能であり、物干竿１の全長を最も短く調整して内パイプ３・３を固定した場合に、伸縮ロック体８・８がそれぞれストッパー５の両側に当接して、外パイプ２の端部とキャップ４・４との間に隙間ができて、外パイプ２及びキャップ４・４より一段低い段差となる係合凹部２８・２８が形成される。
【００１３】
ストッパー５は、一対の圧接体６・６を拡張体７で拡張して、外パイプ２の内部に摩擦力で突っ張り固定できるものである。
【００１４】
一対の圧接体６・６を合わせると、外形断面が外パイプ２の内形断面と相似しやや小さい略四角形状で、内形断面が円形で雌ねじ部１２・１２を一方端部側から螺刻してあり、圧接体６・６の両方とも、それぞれ中央長手方向に、一方端部の一部を残して他方端部側から伸びる切欠部１３・１３を設けてある。一方の圧接体６には、一方端部の両側に凸部１４・１４を設け、他方の圧接体６には、凸部１４・１４に対応する位置に凹部１５・１５を設けてあり、両圧接体６・６を合わせた時に、凸部１４・１４と凹部１５・１５が係合してずれ止めされる。
【００１５】
拡張体７は、外周に、圧接体６・６の雌ねじ部１２・１２に螺合する雄ねじ部１６を螺刻し、一端部内面に六角形孔の操作部１７を設けてある。
【００１６】
凸部１４・１４と凹部１５・１５を係合させて一対の圧接体６・６を合わせて外パイプ２の中央まで挿入し、合わさった圧接体６・６の一方端部側から、拡張体７を挿入し操作部１７を操作して、拡張体７の雄ねじ部１６を圧接体６・６の雌ねじ部１２・１２に螺合していくと、圧接体６・６が離反しさらに切欠部１３・１３から押し広げられて外方に拡張し、外パイプ２の内面に圧着されて両者の摩擦力で固定される。なお、圧接体６・６の外面に両面粘着テープ（図示せず）を貼っておくと、より強固に固定することができる。
【００１７】
伸縮ロック体８は、内パイプ３の端部に取り付けられる軸体９と、軸体９に嵌められる２つの輪状体１０・輪状体１１から構成されている。
【００１８】
軸体９は、長手方向に間隔をおいて円弧状の２条の溝部１８及び溝部２２を設け、内方側の溝部１８の両端を結ぶように幅広で溝部１８の底部よりさらに深い幅広溝部１９を設け、外方側の溝部２２の両端を結ぶように幅広で溝部２２の底部よりさらに深い幅広溝部２３を設けてある。
【００１９】
幅広溝部１９は、外方から見て左回りに徐々に浅くなるようになっており、最深部側の一端部に、回受部２０を立ち上げて設けると共に、最浅部側の他端部に回受部２１を立ち上げて設けた形となっており、幅広溝部２３は、外方から見て左回りに徐々に浅くなるようになっており、最深部側の一端部に、回受部２４を立ち上げて設けると共に、最浅部側の他端部に回受部２５を立ち上げて設けた形となっている。幅広溝部１９と幅広溝部２３は、１８０度位置をずらして設けてある。
【００２０】
輪状体１０・輪状体１１は、外パイプ２の内面形状と相似しやや小さい形状で、一部を切り欠いたリング状であって、一端部に、一方側の側方に突出すると共に中心方向に突出する回止部２６・回止部２７を設けてある。
【００２１】
一方の輪状体１０は、回止部２６が軸体９の幅広溝部１９に位置するように、内方側の溝部１８側に嵌めて、他方の輪状体１１は、回止部２７が軸体９の幅広溝部２３に位置するように、外方側の溝部２２側に嵌めて、使用されるものである。この時、輪状体１０の回止部２６は、輪状体１１側に突出し、輪状体１１の回止部２７は、輪状体１０側に突出するように構成され、回止部２６と回止部２７の突出している部分が、長手方向の同じ位置で相対向するようになっており（図１２及び図１５参照）、回止部２６は、幅広溝部１９を回受部２０から回受部２１の範囲内で回動し、回止部２７は、幅広溝部２３を回受部２４から回受部２５の範囲内で回動することができるようになっている。
【００２２】
物干竿１は、ストッパー５を外パイプ２中央に固定した後、伸縮ロック体８・８が取り付けられた内パイプ３・３を、外パイプ２の両端から挿入し、抜止具２９・２９で抜け止めして組み立てられる。断面が略四角形の輪状体１０・輪状体１１は、同じく断面が略四角形の外パイプ２の中では、回動ができない状態となっており、内パイプ３は外パイプ２に対して自由に回転できるものではなく、後段で詳述するように、回動範囲が９０度に限定されている。
【００２３】
内パイプ３を右方向に回動させて締めると、輪状体１０・輪状体１１の回止部２６・回止部２７は、幅広溝部１９・幅広溝部２３の最浅部に立設した回受部２１・回受部２５に当接し、輪状体１０・輪状体１１が拡張しその外面が外パイプ２の内面に圧着されて摩擦で固定される（図１０〜図１２参照）。この時、内パイプ３の断面は外パイプ２の断面と４辺がずれることなく合致している（図３参照）。
【００２４】
内パイプ３を左方向に回動させて緩めると、輪状体１０・輪状体１１の回止部２６・回止部２７は、幅広溝部１９・幅広溝部２３の最深部に立設した回受部２０・回受部２４に当接し、輪状体１０・輪状体１１の外面は外パイプ２の内面に対し隙間ができて、内パイプ３は外パイプ２に対して伸縮方向に移動が可能な状態になり、長さを調整することができるようになる（図１３〜図１５参照）。この時、内パイプ３は上記の固定状態から９０度回動しており、内パイプ３の断面は外パイプ２の断面と４辺がずれることなく合致している。
【００２５】
内パイプ３・３を最も短く調整して固定した場合でも、伸縮ロック体８・８がストッパー５の両側に当接して、物干竿１の両端に係合凹部２８・２８が形成されることになるため、その係合凹部２８・２８を物干竿支持具Ｓ・Ｓの支持リングＲ・Ｒで支持することができ、物干竿１は容易に外れることがなく落下する危険を回避することができる。また、物干竿１が万が一落下して人に当たっても柔らかいシリコーン製のキャップ４・４で、怪我するリスクをさらに低減している。
【符号の説明】
【００２６】
１    物干竿
２    外パイプ
３    内パイプ
４    キャップ
５    ストッパー
２８    係合凹部
【図１】
0006798774.tif 000002
【図２】
0006798774.tif 000003
【図３】
0006798774.tif 000004
【図４】
0006798774.tif 000005
【図５】
0006798774.tif 000006
【図６】
0006798774.tif 000007
【図７】
0006798774.tif 000008
【図８】
0006798774.tif 000009
【図９】
0006798774.tif 000010
【図１０】
0006798774.tif 000011
【図１１】
0006798774.tif 000012
【図１２】
0006798774.tif 000013
【図１３】
0006798774.tif 000014
【図１４】
0006798774.tif 000015
【図１５】
0006798774.tif 000016
【図１６】
0006798774.tif 000017
【図１７】
0006798774.tif 000018